(57)【要約】      （修正有）【課題】構造簡単で被介護者の移しかえおよび移動を容易に行なうこと。【解決手段】ベッド本体１が該ベッド本体の中央を縦断して分割されることにより、水平直線姿勢を保持する基準型分割ベッド１Ａと車椅子型に姿勢変更可能な車椅子型分割ベッド１Ｂとが形成され、該両分割ベッド１Ａ，１Ｂを係脱可能に連結するベッド連結機構３が設けられている。被介護者を移送する場合には、その被介護者をいずれか一方の分割ベッド上に移しかえ、ベッド連結機構３による連結を解除し、被介護者を乗せた分割ベッドを移動させるだけで、その被介護者を浴室などの所定場所まで容易に運ぶことができる。車椅子型分割ベッド１Ｂを車椅子型に姿勢変更することにより、被介護者を安楽に移送することができる。【選択図】図１
2011115487.tif 000002
【特許請求の範囲】
【請求項１】
ベッド本体が該ベッド本体の中央を縦断して分割されることにより、左右一対の分割ベッドが形成され、該両分割ベッドを係脱可能に連結するベッド連結機構が設けられてなる介護用ベッド。
【請求項２】
前記両分割ベッドのうちの一方が水平直線姿勢を保持する基準型分割ベッドとされ、その他方が車椅子型に姿勢変更可能な車椅子型分割ベッドとされてなる請求項１に記載の介護用ベッド。
【請求項３】
前記ベッド連結機構が、両分割ベッドのうち、その一方の分割ベッドに固着され側縁にスリットを形成した横断面略Ｃ字状の筒部と、前記スリット内を通過可能な突起片を介して他方の分割ベッドに一体突設され前記筒部に嵌脱可能に嵌入する嵌入杆と、筒部の貫通孔を通って嵌入杆のロック孔に嵌入することにより該嵌入杆を筒部にロックするロックピンと、該ロックピンをロック孔から抜き出すためのロック解除手段とからなる請求項１または２に記載の介護用ベッド。
【請求項４】
前記車椅子型分割ベッドを水平直線姿勢にした状態でその車椅子型分割ベッドの両端部を支持する一対のベッド支持機構が設けられてなる請求項３に記載の介護用ベッド。
【請求項５】
前記一対のベッド支持機構が、前記基準型分割ベッドの両端部に設けた収納庫内に出退可能に収納されたスライダと、該スライダ上にジャッキを介して昇降可能に配置されて車椅子型分割ベッドの下面に当接するベッド支持部材とを有してなる請求項４に記載の介護用ベッド。
【請求項６】
前記各分割ベッドのマットの上面に滑止め部が形成され、該滑止め部とで面ファスナを形成する係合部がマット上に敷かれる敷布団の下面に形成されてなる請求項１〜５のいずれかに記載の介護用ベッド。
【発明の詳細な説明】
【技術分野】
【０００１】
本発明は、介護用ベッドに関し、特に、構造簡単で被介護者の移しかえを容易に行なうことができるようにしたものである。
【背景技術】
【０００２】
図１１は従来の介護用ベッドを示すものであって、ベッド本体１上に寝ている肢体不自由者などの被介護者Ｔを例えば入浴のために移送する場合には、その被介護者Ｔの上半身を起こし、その被介護者Ｔを介護者が抱き上げて車椅子２上に移しかえ、浴室まで運んで入浴させ、その後、上記とは逆の手順を経て、被介護者Ｔをベッド本体１上に寝かせる。なお、関連する技術として特許文献１などに記載したものがある。
【先行技術文献】
【特許文献】
【０００３】
【特許文献１】特開２００３−２９９６９９号公報
【発明の概要】
【発明が解決しようとする課題】
【０００４】
上記従来の構成では、被介護者Ｔを抱き抱えて移しかえる際に、介護者にかかる肉体的負担が大きい。
【０００５】
特許文献１によれば、ベッド本体１に車椅子２を組み込んだものが開示されているが、その車椅子２を組み込むために極めて複雑な構造になっており、製作費が高くつく。
【０００６】
本発明は、上記従来の欠点に鑑み、構造簡単で被介護者の移しかえを容易に行なうことができるようにした介護用ベッドを提供することを目的としている。
【課題を解決するための手段】
【０００７】
上記目的を達成するため、請求項１に記載の発明は、ベッド本体１が該ベッド本体１の中央を縦断して分割されることにより、左右一対の分割ベッド１Ａ，１Ｂが形成され、該両分割ベッド１Ａ，１Ｂを係脱可能に連結するベッド連結機構３が設けられてなる構成を採用するものである。
【０００８】
請求項２に記載の発明は、請求項１に記載の発明において、前記両分割ベッド１Ａ，１Ｂのうちの一方が水平直線姿勢を保持する基準型分割ベッド１Ａとされ、その他方が車椅子型に姿勢変更可能な車椅子型分割ベッド１Ｂとされてなる構成を採用するものである。
【０００９】
請求項３に記載の発明は、請求項１または２に記載の発明において、前記ベッド連結機構３が、両分割ベッド１Ａ，１Ｂのうち、その一方の分割ベッド１Ａに固着され側縁にスリット２６ａを形成した横断面略Ｃ字状の筒部２６と、前記スリット２６ａ内を通過可能な突起片２７を介して他方の分割ベッド１Ｂに一体突設され前記筒部２６に嵌脱可能に嵌入する嵌入杆２８と、筒部２６に設けた貫通孔３２を通って嵌入杆２８に設けたロック孔２８ａに嵌入することにより該嵌入杆２８を筒部２６にロックするロックピン２９ａと、該ロックピン２９ａをロック孔２８ａから抜き出すためのロック解除手段３５，３８，３０（図１、図３、図７）とからなる構成を採用するものである。
【００１０】
請求項４に記載の発明は、請求項３に記載の発明において、前記車椅子型分割ベッド１Ｂを水平直線姿勢にした状態でその車椅子型分割ベッド１Ｂの両端部を支持する一対のベッド支持機構４０が設けられてなる構成を採用するものである。
【００１１】
請求項５に記載の発明は、請求項４に記載の発明において、前記一対のベッド支持機構４０が、前記基準型分割ベッド１Ａの両端部に設けた収納庫４１内に出退ｃ，ｄ可能に収納されたスライダ４２と、該スライダ４２上にジャッキ４３を介して昇降可能に配置されて車椅子型分割ベッド１Ｂの下面に当接するベッド支持部材４４とを有してなる構成を採用するものである。
【００１２】
請求項６に記載の発明は、請求項１〜５のいずれかに記載の発明において、前記各分割ベッド１Ａ，１ＢのマットＭの上面に滑止め部４７ａが形成され、該滑止め部４７ａとで面ファスナ４７を形成する係合部４７ｂがマットＭ上に敷かれる敷布団Ｒの下面に形成されてなる構成を採用するものである。
【発明の効果】
【００１３】
請求項１に記載の発明によれば、ベッド本体１を二分割して左右一対の分割ベッド１Ａ，１Ｂを形成し、その両分割ベッド１Ａ，１Ｂをベッド連結機構３で連結しただけの簡単な構造であるから、製作費が安くつく。また、例えば入浴のために被介護者Ｔを移送する場合には、その被介護者Ｔをいずれか一方の分割ベッド１Ｂ上に移しかえ、ベッド連結機構３による連結を解除し、被介護者Ｔを乗せた分割ベッド１Ｂを移動させるだけで、その被介護者Ｔを浴室などの所定場所まで容易に運ぶことができる。
【００１４】
請求項２に記載の発明によれば、車椅子型分割ベッド１Ｂを車椅子型に姿勢変更することにより、被介護者Ｔを安楽に移送することができる。
【００１５】
請求項３に記載の発明によれば、嵌入杆２８を筒部２６に嵌入させ、該嵌入杆２８のロック孔２８ａにロックピン２９ａを嵌入させるだけで、両分割ベッド１Ａ，１Ｂを連結することができると共に、ロック解除手段３０によりロックピン２９ａをロック孔２８ａから抜き出し、嵌入杆２８を筒部２６から離脱させるだけで、両分割ベッド１Ａ，１Ｂを分離することができ、その連結及び分離の操作を簡単に行なうことができる。
【００１６】
請求項４に記載の発明によれば、水平直線姿勢にした車椅子型分割ベッド１Ｂの両端部を一対のベッド支持機構４０で確実に支持しているので、その車椅子型分割ベッド１Ｂと基準型分割ベッド１Ａとが一体になって、被介護者Ｔの身体を安定して支えることができる。
【００１７】
請求項５に記載の発明によれば、各収納庫４１から引き出したスライダ４２上のジャッキ４３によりベッド支持部材４４を上昇させて車椅子型分割ベッド１Ｂの下面に当接させることにより、その車椅子型分割ベッド１Ｂの水平直線姿勢を確実に支持することができ、この支持状態から、ジャッキ４３によりベッド支持部材４４を下降させ、そのベッド支持部材４４とスライダ４２及びジャッキ４３とからなる一対のベッド支持機構４０を各収納庫４１内に収納することにより、車椅子型分割ベッド１Ｂを移動させる際に、その一対のベッド支持機構４０が障害物にならないようにできる。
【００１８】
請求項６に記載の発明によれば、マットＭ上の敷布団Ｒが動かないように面ファスナ４７で確実に係止することができると共に、その面ファスナ４７による係止を解除してマットＭ上から敷布団Ｒを容易に取り外すことができる。
【図面の簡単な説明】
【００１９】
【図１】本発明の実施の一形態である介護用ベッドの平面図である。
【図２】同正面図である。
【図３】同側面図である。
【図４】図１のＡ−Ａ矢視図である。
【図５】同車椅子型分割ベッドの側面図である。
【図６】同車椅子型分割ベッドの斜視図である。
【図７】（ａ）は同ベッド連結機構の斜視図、（ｂ）は同横断面図である。
【図８】同ベッド支持機構の分解斜視図である。
【図９】同ベッド支持機構の縦断面図である。
【図１０】（ａ）〜（ｃ）は同分割ベッドの分離手順を示す概略平面図である。
【図１１】同従来例を示す概略平面図である。
【発明を実施するための形態】
【００２０】
図１〜図１０は本発明の実施の一形態である介護用ベッドを示すものであって、ベッド本体１が該ベッド本体１の中央を縦断して分割されることにより、左右一対の分割ベッド１Ａ，１Ｂが形成され、両分割ベッド１Ａ，１Ｂのうちの一方が水平直線姿勢を保持する基準型分割ベッド１Ａとされ、その他方が車椅子型に姿勢変更可能な車椅子型分割ベッド１Ｂとされて、該両分割ベッド１Ａ，１Ｂを係脱可能に連結するベッド連結機構３が設けられている。
【００２１】
図１〜図４に示すように、前記基準型分割ベッド１Ａは、キャスタ５付きのスチールパイプ製基枠６と、該基枠６の上端に固着したスチールパイプなどからなる枠体６ａ上に配置したマットＭとからなり、その基枠６の外側縁に保護柵７が着脱可能に取り付けられている。
【００２２】
図１〜図３、図５及び図６に示すように、前記車椅子型分割ベッド１Ｂは、背もたれ部９と、座部１０と、脚支持部１１と、足置き部１２とからなり、その各部９〜１２は、ヒンジ１３ａ〜１３ｃにより回動可能に連結されたスチールパイプなどからなる枠体９ａ〜１２ａ上にマットＭを配置したものである。
【００２３】
前記座部１０の枠体１０ａはキャスタ１４及び車輪１５を付設した基枠１６の上端に固着され、該基枠１６の両側縁に保護柵１７ａ，１７ｂが着脱可能に取り付けられており、両分割ベッド１Ａ，１Ｂを連結する際には、内側の保護柵１７ａを取り外す（図１参照）。なお、図５中、１８は車輪１５をロックするためのロックレバーである。
【００２４】
前記背もたれ部９は、座部１０の枠体１０ａと該背もたれ部９の枠体９ａに突設した連結杆９ｂとの間に配置した電動シリンダ１９により、ヒンジ１３ａ回りで回動されて、水平直線姿勢（図２参照）と車椅子用の傾斜姿勢（図５参照）とに姿勢変更可能に形成されている。図２中、９ｃは枠体９ａに一体突設した把手、２０は電動シリンダ１９のリモコンである。
【００２５】
前記脚支持部１１は、角度調整機構２１により支持されており、該角度調整機構２１が、座部１０の基枠１６に固定されて上面に所定間隔をおいて多数の係合凹部２２ａを形成した調整枠２２と、脚支持部１１の枠体１１ａに回動可能に枢支され先端のロック杆２３ａを所定の係合凹部２２ａに係脱可能に嵌入させるばね２３ｂ付き支え棒２３と、ロック杆２３ａを係合凹部２２ａから抜き出すためのロック解除レバー２４とを有しており、そのロック解除レバー２４を把持してロックを解除し、脚支持部１１をヒンジ１３ｂ回りで回動させ、ロック杆２３ａを所定の係合凹部２２ａに嵌入させることにより、脚支持部１１を水平姿勢（図２参照）と、傾斜姿勢（図５参照）とにする。
【００２６】
前記足置き部１２は、ヒンジ１３ｃに組み込んだ一方向クラッチ（図示せず）により支持されており、該足置き部１２を上方に回動させることにより、所定の傾斜角度で固定することができ、その足置き部１２を脚支持部１１に密着させるまで上方に回動させることにより、一方向クラッチが解除され、足置き部１２を下方に回動させることができる。
【００２７】
上記構成によれば、車椅子型分割ベッド１Ｂを水平直線姿勢から車椅子型に姿勢変更することにより、被介護者Ｔを安楽に移送することができる。
【００２８】
図１、図４及び図７に示すように、前記ベッド連結機構３は、基準型分割ベッド１Ａの内側縁に沿って枠体６ａの下面中央に固着された横断面略Ｃ字状の筒部２６と、車椅子型分割ベッド１Ｂの座部１０の基枠１６に突起片２７を介して一体突設され両端を半球面状に形成した中空円柱状の嵌入杆２８と、ロック手段２９及びロック解除手段３０とを有し、前記筒部２６が基準型分割ベッド１Ａの長手方向ａ，ｂに沿って基枠６内に配置され、前記嵌入杆２８が車椅子型分割ベッド１Ｂより外側に突出した状態で矢印ａ，ｂ方向に沿って配置され、該嵌入杆２８の外径が筒部２６の内径と同一またはわずかに小さく設定され、該筒部２６の側縁に矢印ａ，ｂ方向に沿ってスリット２６ａが形成され、該スリット２６ａに対して前記突起片２７が通過可能に形成されている。
【００２９】
図１、図３及び図７に示すように、前記ロック手段２９は、筒部２６に固着したガイド管３１内に移動可能に挿通され先端が筒部２６の貫通孔３２を通って嵌入杆２８のロック孔２８ａに嵌入されるロックピン２９ａを有し、該ロックピン２９ａの基端部にストッパ３４を介してワイヤ３５が一体連結され、該ワイヤ３５が枠体６ａから垂下した垂下杆３６の挿通孔３６ａに挿通され、該垂下杆３６とストッパ３４との間でワイヤ３５に遊嵌合されてロックピン２９ａをロック孔２８ａに向けて付勢する押出しばね３７が設けられている。なお、３８はワイヤ３５に遊嵌合させた合成樹脂製の保護パイプである。
【００３０】
図３に示すように、前記ロック解除手段３０は、枠体６ａに付設のホルダ３９に回動可能に係止したロック解除レバー３０ａを有し、該ロック解除レバー３０ａにワイヤ３５が連結されている。
【００３１】
両分割ベッド１Ａ，１Ｂの連結手順を説明すると、車椅子型分割ベッド１Ｂを基準型分割ベッド１Ａの内側縁に接近させて矢印ａ（またはｂ）方向に移動させ、嵌入杆２８を筒部２６内に嵌入させると、その嵌入杆２８の外周面によりロックピン２９ａが押出しばね３７に抗して一旦押し下げられた後、該ロックピン２９ａの先端がロック孔２８ａに嵌入されて、嵌入杆２８が筒部２６にロックされ〔図７（ｂ）の実線参照〕、車椅子型分割ベッド１Ｂが基準型分割ベッド１Ａに一体的に連結される。
【００３２】
車椅子型分割ベッド１Ｂの連結解除手段３０による連結解除手順を説明すると、図３のロック解除手段３０の部分を拡大して示す図に示すように、保護パイプ３８によって導出されるワイヤ３５の先端部が繋がれるロック解除レバー３０ａをホルダ３９に設けた枢軸３０ｂを支点として矢印ａの方向に回動することによってワイヤ３５は保護パイプ３８から引っ張り出され、これによって、ロックピン２９ａはロック孔２８ａから抜き出されるから、車椅子型分割ベッド１Ｂを矢印ａ（またはｂ）方向に移動させることより、嵌入杆２８が筒部２６から引き抜かれ、その車椅子型分割ベッド１Ｂが基準型分割ベッド１Ａから分離される。
【００３３】
上記構成によれば、嵌入杆２８を筒部２６に嵌入させ、該嵌入杆２８のロック孔２８ａにロックピン２９ａを嵌入させるだけで、両分割ベッド１Ａ，１Ｂを連結することができると共に、ロック解除レバー３０ａを把持してロックピン２９ａをロック孔２８ａから抜き出し、嵌入杆２８を筒部２６から離脱させるだけで、両分割ベッド１Ａ，１Ｂを分離することができ、その連結及び分離の操作を簡単に行なうことができる。
【００３４】
図１〜図３、図８及び図９に示すように、車椅子型分割ベッド１Ｂを水平直線姿勢にした状態でその車椅子型分割ベッド１Ｂの両端部を支持する一対のベッド支持機構４０が設けられており、該各ベッド支持機構４０は、基準型分割ベッド１Ａの基枠６の両端部に固着した左右一対の横断面略Ｌ字状ガイド枠４１ａからなる収納庫４１内に出退ｃ，ｄ可能に収納された金属板製スライダ４２と、該スライダ４２に手動ハンドル４３ａ付きジャッキ４３を介して昇降可能に配置されたベッド支持部材４４とを有し、該ベッド支持部材４４は、ジャッキ４３の上端部に固着した水平板４４ａと、該水平板４４ａの一端に固着した横断面半円状の円弧枠４４ｂとから形成され、一方のベッド支持機構４０の円弧枠４４ｂは背もたれ部９の枠体９ａに対向され、他方のベッド支持機構４０の円弧枠４３ｂは脚支持部１１と足置き部１２との間のヒンジ１３ｃに対向されている。なお、各スライダ４２の先端部にキャスタ４５ａ付きスチールパイプ製支持脚４５が垂設されている。
ている。
【００３５】
上記構成に基づいて車椅子型分割ベッド１Ｂの支持手順を説明すると、基準型分割ベッド１Ａにベッド連結機構３で連結した車椅子型分割ベッド１Ｂを水平直線姿勢（図２参照）にした状態で、収納庫４１内から各スライダ４２を矢印ｃ方向に移動させ、手動ハンドル４３ａにより各ジャッキ４３を操作し、一方のベッド支持部材４４を上昇させて背もたれ部９の枠体９ａに当接させ（図３及び図９参照）、他方のベッド支持部材４４を上昇させて脚支持部１１と足置き部１２との間のヒンジ１３ｃに当接させる（図２参照）。
【００３６】
車椅子型分割ベッド１Ｂを基準型分割ベッド１Ａから分離する場合には、手動ハンドル４３ａにより各ジャッキ４３を操作して各ベッド支持部材４４を下降させ、各スライダ４２を矢印ｄ方向に移動させて収納庫４１内の収納させる（図９仮想線参照）。
【００３７】
上記構成によれば、水平直線姿勢にした車椅子型分割ベッド１Ｂの両端部を一対のベッド支持機構４０で確実に支持しているので、その車椅子型分割ベッド１Ｂと基準型分割ベッド１Ａとが一体になって、被介護者Ｔの身体を安定して支えることができる。
【００３８】
また、各収納庫４１から引き出したスライダ４２上のジャッキ４３によりベッド支持部材４４を上昇させて車椅子型分割ベッド１Ｂの下面に当接させることにより、その車椅子型分割ベッド１Ｂの水平直線姿勢を確実に支持することができ（図９参照）、この支持状態から、ジャッキ４３によりベッド支持部材４４を下降させ、そのベッド支持部材４４とスライダ４２及びジャッキ４３とからなる一対のベッド支持機構４０を各収納庫４１内に収納することにより、車椅子型分割ベッド１Ｂを移動させる際に、その一対のベッド支持機構４０が障害物にならないようにできる。
【００３９】
図１〜図３、図６及び図９に示すように、各分割ベッド１Ａ，１ＢのマットＭの上面に起毛処理を施すことにより平面視略ロ字状の滑止め部４７ａが形成され、該滑止め部４７ａとで面ファスナ４７を形成する係合部４７ｂがマットＭ上に敷かれる敷布団Ｒの下面に形成されている。
【００４０】
上記構成によれば、マットＭ上の敷布団Ｒが動かないように面ファスナ４７で確実に係止することができると共に、その面ファスナ４７による係止を解除してマットＭ上から敷布団Ｒを容易に取り外すことができる。
【００４１】
両分割ベッド１Ａ，１Ｂの分離手順を説明すると、図１０（ａ）に示すように、ベッド本体１上に寝ている肢体不自由者などの被介護者Ｔを例えば入浴のために移送する場合には、図１０（ｂ）に示すように、シーツを引っ張るなどして、被介護者Ｔを車椅子型分割ベッド１Ｂ上まで横滑りさせ、各ベッド支持機構４０を矢印ｄ方向にスライドさせて各収納庫４１内に収納し（図９仮想線参照）、ベッド連結機構３のロック解除レバー３０ａ（図３参照）を把持してロックピン２９ａをロック孔２８ａから抜き出し、車椅子型分割ベッド１Ｂのロックを解除する。続いて、図１０（ｃ）に示すように、車椅子型分割ベッド１Ｂを矢印ａ（またはｂ）方向に移動させることにより、基準型分割ベッド１Ａから車椅子型分割ベッド１Ｂを分離し、その車椅子型分割ベッド１Ｂを水平直線姿勢（図３参照）のまま、あるいは車椅子姿勢（図５及び図６参照）にして所定場所まで移送する。
【００４２】
被介護者Ｔをベッド本体１上に戻す場合には、車椅子型分割ベッド１Ｂを上記とは逆の手順で移送して基準型分割ベッド１Ａに連結すればよい。
【００４３】
上記構成によれば、ベッド本体１を二分割して左右一対の分割ベッド１Ａ，１Ｂを形成し、その両分割ベッド１Ａ，１Ｂをベッド連結機構３で連結しただけの簡単な構造であるから、製作費が安くつく。また、例えば入浴のために被介護者Ｔを移送する場合には、その被介護者Ｔを車椅子型分割ベッド１Ｂ上に移しかえ、ベッド連結機構３による連結を解除し、被介護者Ｔを乗せた車椅子型分割ベッド１Ｂを移動させるだけで、その被介護者Ｔを浴室などの所定場所まで容易に運ぶことができる。
【００４４】
上記の実施の形態では、筒部２６及びロック解除手段３０を基準型分割ベッド１Ａに設け、嵌入杆２８を車椅子型分割ベッド１Ｂに設けたが、その逆に、筒部２６及びロック解除手段３０を車椅子型分割ベッド１Ｂに設け、嵌入杆２８を基準型分割ベッド１Ａに設けるようにしてもよい。
【００４５】
また、ベッド本体１の両分割ベッド１Ａ，１Ｂを、水平直線姿勢を保つタイプ（基準型分割ベッド１Ａ）と、車椅子姿勢に変更可能なタイプ（車椅子型分割ベッド１Ｂ）とで形成したが、これに限定されるわけではなく、両分割ベッド１Ａ，１Ｂとも水平直線姿勢を保つタイプにしたベッド本体１にも適用される。
【符号の説明】
【００４６】
１        ベッド本体
１Ａ      基準型分割ベッド
１Ｂ      車椅子型分割ベッド
３        ベッド連結機構
２６      筒部
２６ａ    筒部のスリット
２７      突起片
２８      嵌入杆
２８ａ    ロック孔
２９ａ    ロックピン
３０      ロック解除手段
３２      筒部の貫通孔
４０      ベッド支持機構
４１      収納庫
４２      スライダ
４３      ジャッキ
４４      ベッド支持部材
４７      面ファスナ
４７ａ    面ファスナの滑止め部
４７ｂ    面ファスナの係合部
Ｍ        マット
Ｒ        敷布団
【図１】
2011115487.tif 000003
【図２】
2011115487.tif 000004
【図３】
2011115487.tif 000005
【図４】
2011115487.tif 000006
【図５】
2011115487.tif 000007
【図６】
2011115487.tif 000008
【図７】
2011115487.tif 000009
【図８】
2011115487.tif 000010
【図９】
2011115487.tif 000011
【図１０】
2011115487.tif 000012
【図１１】
2011115487.tif 000013
【手続補正書】
【提出日】平成22年10月14日(2010.10.14)
【手続補正１】
【補正対象書類名】特許請求の範囲
【補正対象項目名】全文
【補正方法】変更
【補正の内容】
【特許請求の範囲】
【請求項１】
ベッド本体が該ベッド本体の中央を縦断して分割されることにより、左右一対の分割ベッドが形成され、該両分割ベッドを係脱可能に連結するベッド連結機構が設けられ、前記両分割ベッドのうちの一方が水平直線姿勢を保持する基準型分割ベッドとされ、その他方が車椅子型に姿勢変更可能な車椅子型分割ベッドとされ、前記ベッド連結機構が、両分割ベッドのうち、その一方の分割ベッドに固着され側縁にスリットを形成した横断面略Ｃ字状の筒部と、前記スリット内を通過可能な突起片を介して他方の分割ベッドに一体突設され前記筒部に嵌脱可能に嵌入する嵌入杆と、筒部の貫通孔を通って嵌入杆のロック孔に嵌入することにより該嵌入杆を筒部にロックするロックピンと、該ロックピンをロック孔から抜き出すためのロック解除手段とからなる介護用ベッド。
【請求項２】
前記車椅子型分割ベッドを水平直線姿勢にした状態でその車椅子型分割ベッドの両端部を支持する一対のベッド支持機構が設けられてなる請求項１に記載の介護用ベッド。
【請求項３】
前記一対のベッド支持機構が、前記基準型分割ベッドの両端部に設けた収納庫内に出退可能に収納されたスライダと、該スライダ上にジャッキを介して昇降可能に配置されて車椅子型分割ベッドの下面に当接するベッド支持部材とを有してなる請求項２に記載の介護用ベッド。
【請求項４】
前記各分割ベッドのマットの上面に滑止め部が形成され、該滑止め部とで面ファスナを形成する係合部がマット上に敷かれる敷布団の下面に形成されてなる請求項１〜３のいずれかに記載の介護用ベッド。
【手続補正２】
【補正対象書類名】明細書
【補正対象項目名】０００７
【補正方法】変更
【補正の内容】
【０００７】
上記目的を達成するため、請求項１に記載の発明は、ベッド本体１が該ベッド本体１の中央を縦断して分割されることにより、左右一対の分割ベッド１Ａ，１Ｂが形成され、該両分割ベッド１Ａ，１Ｂを係脱可能に連結するベッド連結機構３が設けられ、前記両分割ベッド１Ａ，１Ｂのうちの一方が水平直線姿勢を保持する基準型分割ベッド１Ａとされ、その他方が車椅子型に姿勢変更可能な車椅子型分割ベッド１Ｂとされ、前記ベッド連結機構３が、両分割ベッド１Ａ，１Ｂのうち、その一方の分割ベッド１Ａに固着され側縁にスリット２６ａを形成した横断面略Ｃ字状の筒部２６と、前記スリット２６ａ内を通過可能な突起片２７を介して他方の分割ベッド１Ｂに一体突設され前記筒部２６に嵌脱可能に嵌入する嵌入杆２８と、筒部２６に設けた貫通孔３２を通って嵌入杆２８に設けたロック孔２８ａに嵌入することにより該嵌入杆２８を筒部２６にロックするロックピン２９ａと、該ロックピン２９ａをロック孔２８ａから抜き出すためのロック解除手段３５，３８，３０（図１、図３、図７）とからなる構成を採用するものである。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
請求項２に記載の発明は、請求項１に記載の発明において、前記車椅子型分割ベッド１Ｂを水平直線姿勢にした状態でその車椅子型分割ベッド１Ｂの両端部を支持する一対のベッド支持機構４０が設けられてなる構成を採用するものである。
【手続補正６】
【補正対象書類名】明細書
【補正対象項目名】００１１
【補正方法】変更
【補正の内容】
【００１１】
請求項３に記載の発明は、請求項２に記載の発明において、前記一対のベッド支持機構４０が、前記基準型分割ベッド１Ａの両端部に設けた収納庫４１内に出退ｃ，ｄ可能に収納されたスライダ４２と、該スライダ４２上にジャッキ４３を介して昇降可能に配置されて車椅子型分割ベッド１Ｂの下面に当接するベッド支持部材４４とを有してなる構成を採用するものである。
【手続補正７】
【補正対象書類名】明細書
【補正対象項目名】００１２
【補正方法】変更
【補正の内容】
【００１２】
請求項４に記載の発明は、請求項１〜３のいずれかに記載の発明において、前記各分割ベッド１Ａ，１ＢのマットＭの上面に滑止め部４７ａが形成され、該滑止め部４７ａとで面ファスナ４７を形成する係合部４７ｂがマットＭ上に敷かれる敷布団Ｒの下面に形成されてなる構成を採用するものである。
【手続補正８】
【補正対象書類名】明細書
【補正対象項目名】００１４
【補正方法】変更
【補正の内容】
【００１４】
又、本発明によれば、車椅子型分割ベッド１Ｂを車椅子型に姿勢変更することにより、被介護者Ｔを安楽に移送することができる。
【手続補正９】
【補正対象書類名】明細書
【補正対象項目名】００１５
【補正方法】変更
【補正の内容】
【００１５】
更に又、本発明によれば、嵌入杆２８を筒部２６に嵌入させ、該嵌入杆２８のロック孔２８ａにロックピン２９ａを嵌入させるだけで、両分割ベッド１Ａ，１Ｂを連結することができると共に、ロック解除手段３０によりロックピン２９ａをロック孔２８ａから抜き出し、嵌入杆２８を筒部２６から離脱させるだけで、両分割ベッド１Ａ，１Ｂを分離することができ、その連結及び分離の操作を簡単に行なうことができる。
【手続補正１０】
【補正対象書類名】明細書
【補正対象項目名】００１６
【補正方法】変更
【補正の内容】
【００１６】
請求項２に記載の発明によれば、水平直線姿勢にした車椅子型分割ベッド１Ｂの両端部を一対のベッド支持機構４０で確実に支持しているので、その車椅子型分割ベッド１Ｂと基準型分割ベッド１Ａとが一体になって、被介護者Ｔの身体を安定して支えることができる。
【手続補正１１】
【補正対象書類名】明細書
【補正対象項目名】００１７
【補正方法】変更
【補正の内容】
【００１７】
請求項３に記載の発明によれば、各収納庫４１から引き出したスライダ４２上のジャッキ４３によりベッド支持部材４４を上昇させて車椅子型分割ベッド１Ｂの下面に当接させることにより、その車椅子型分割ベッド１Ｂの水平直線姿勢を確実に支持することができ、この支持状態から、ジャッキ４３によりベッド支持部材４４を下降させ、そのベッド支持部材４４とスライダ４２及びジャッキ４３とからなる一対のベッド支持機構４０を各収納庫４１内に収納することにより、車椅子型分割ベッド１Ｂを移動させる際に、その一対のベッド支持機構４０が障害物にならないようにできる。
【手続補正１２】
【補正対象書類名】明細書
【補正対象項目名】００１８
【補正方法】変更
【補正の内容】
【００１８】
請求項４に記載の発明によれば、マットＭ上の敷布団Ｒが動かないように面ファスナ４７で確実に係止することができると共に、その面ファスナ４７による係止を解除してマットＭ上から敷布団Ｒを容易に取り外すことができる。